(57)【要約】      （修正有）【課題】写真、絵画、色紙、イラスト、案内文、賞状等を収納し壁面に掲示する軽量で簡単かつ安価であることを有する額装フレームを提供する。【解決手段】透明なプラスチックシートＡを切断成形、印刷し、これを組み立て加工し額縁の形態をなしたものに写真、絵画、色紙、イラスト、案内文、賞状等を収納し画鋲、磁石、粘着シートなどを用いて固定掲示することを特徴とした額装フレーム。【選択図】図１
2015223499.tif 000002
【特許請求の範囲】
【請求項１】
壁面に画鋲、磁石、粘着シート等の固定材で掲示される額装フレームであり、透明なプラスチックシートで形成されることを特徴とする。
【請求項２】
前記額装フレームは一枚の透明プラスチックシートであり切断、成形、折り込みにより額縁の形態をなすことを特徴とする。
【請求項３】
前記額装フレームは折り込み部に成形された画鋲打ち込み用の穴に画鋲を打ち込み壁面に掲示するか、磁石、粘着シートを用いて壁面に固定掲示することを特徴とする。
【請求項４】
前記額装フレームは前面周辺部に額縁状の印刷による装飾を施すことを特徴とする。
【発明の詳細な説明】
【技術分野】
【０００１】  本発明は写真、絵画、色紙、イラスト、案内文、賞状等を収納し壁面に掲示する額装フレームに関し、軽量、簡単、かつ安価であることを有する額装フレームに関するものである。
【背景技術】
【０００２】  従来写真、絵画、色紙、イラスト、案内文、賞状等の掲示物を壁面に掲示する場合、木製か、金属製又はプラスチック製の額縁に収納したものを壁に掲示するか、何も収納せずにそのまま画鋲や接着テープ等で壁面に取り付けていた。また、従来の額縁は曲面には取り付けにくかった。
【発明の開示】
【発明が解決しようとする課題】
【０００３】  しかしながら、近年の家庭用プリンター、コピー機の普及により掲示したいものは増加したがそれぞれの掲示物は大きさも異なり各個に会った額縁を用意するには的に問題があった。【０００４】  また従来の額縁は重量があるため、画鋲でとめただけでは落下の不安があり、地震等の振動によれば簡単に落下したり傾いたりした。【０００５】  さらに、従来の額縁は部屋の壁面に取り付ける仕様になっているため、画鋲での掲示ができない場所、すなわちロッカー、冷蔵庫、鏡、窓ガラス、ドアや化粧パネルの壁面に掲示する場合、薄いプラスチック等で包み又はそのままの状態で接着テープ等にて取り付けられ見苦しかった。【０００６】  また従来の額縁は硬質の材料でできているため曲面には取り付けにくかった。
本発明は以上の問題点を解決するためになされたものであり写真、絵画、色紙、イラスト、案内文、賞状等の掲示物を装飾性豊かにどこにでも、安価に掲示できる額装フレームを提供することを目的とする。
【課題を解決するための手段】
【０００７】  本発明によれば、上記目的壁面に取り付ける額装フレームは透明なプラスチックシートを［図２］に於ける透明プラスチックシートＡの形状に切断成形し、折り返し線ｆによって４辺の折り返し部ｂをすべて同方向に折り返し［図１］に於ける形状にすることにより方形の額装フレームを成形することにより目的を達する。【０００８】  本発明による額装フレームの表側には額縁状となる各種模様を印刷し、本発明の取り付けは折り返し部ｂに設けられた画鋲取り付け穴ｄに画鋲を取り付けるか又は折り返し部ｂを磁石か粘着シートにて壁面に取り付ける。【０００９】  本発明による額装フレームの表側には、額縁状の形状となるための帯状、リボン状、花模様等の印刷を４辺に設ける。
【発明の効果】
【００１０】  以上のように本発明によれば、便利で軽量な汎用性の高い額装フレームが安価に提供できる。
【発明を実施するための最良の形態】
【００１１】  ［図１］は本発明の組み立て後の表側よりの斜視図と、組み立て後の裏側よりの斜視図である。【００１２】［図２］は１枚の透明プラスチックシートＡを切断加工、印刷して成形した組立前の平面状態であり折り曲げ加工のみで［図１］の形状の額装フレームとなす。【００１３】  本発明は従来の額縁のように外枠、ガラス、台紙、裏板に分かれることなく１枚のピラスチックシートで構成されているため、切断加工されたプラスチックシートを、折り返し線ｆで折り返せばそのまま額装フレームになり得る。折り返し線ｆでは折り返しを確実に容易にするために事前に折り返し線ｆ上にプラスチックシートの厚さに対し３０％〜５０％の深さの溝を設けておくことが望ましい。【００１４】  折り返し部ｂは折り返し線ｆを長辺側の下底とする等脚台形であり、下底の両端と短辺側の上底両端とを結ぶ台形の脚の角度は折り返し線ｆに対して４５度である。
下底と上底との間の幅、すなわち折り返し部ｂの折り返し線ｆに対する幅は壁面に固定するとき使用する画鋲の頭部の直径もしくは磁石の大きさにもよるがおおむね２０ｍｍ〜２５ｍｍである。【００１４】  折り返し部ｂには画鋲取り付け穴ｄがある。画鋲取り付け穴ｄは折り返し部ｂの上底と下底の幅の中央部に設けるが、小型の額装フレームに於いては１か所、中型、大型の額装フレームにおいては２〜３か所設ける。また、各画鋲取り付け穴ｄには折り返し線ｆに対する方向に切れ込みが設けてあり、額装フレーム掲示後の取り外し作業を容易にするための用途とする。【００１５】  額装フレームの壁面への掲示は、壁面の材質が石膏ボード、木質合板の場合は組み立てた額装フレームの折り返し部ｂと縁取り印刷部ｃの間に画鋲を挿入し、画鋲取り付け穴に画鋲の針が貫通した状態で壁面へ固定する。壁面の材質がロッカーや冷蔵庫などの強磁性体の金属の場合は組み立てた額装フレームの折り返し部ｂと縁取り印刷部ｃとの間に磁石を挿入し壁面へ磁力により固定する。壁面の材質がガラス、鏡、強磁性体以外の金属で表面が比較的滑らかな場合は、組み立てた額装フレームの折り返し部ｂと縁取り印刷部ｃとの間に、粘着シートを、折り返し部ｂ側に粘着部を向け、折り返し部ｂより５０％程粘着シート面がはみ出た状態で取り付け、壁面に接着部を押し当て固定する。【００１６】  縁取り印刷部ｃは額装フレームの表側周辺に額縁状に設けられる装飾用の印刷部であり額縁状、リボン状、花模様等で、掲示される作品を装飾するものである。
【図面の簡単な説明】
【００１７】
【図１】本発明の組み立て後の斜視図であり、（ａ）は表面であり（ｂ）は裏面である。
【図２】本発明の組み立て前の展開図であり、１枚の透明プラスチックシートであり切断、成型、印刷された原型である。
【図３】本発明の組み立て後［図１］におけるイ―イ´の断面図である。
【図４】［図３］における（ｃ）部の拡大図である。
【図５】本発明の額装フレームを画鋲にて石膏ボード、木質合板の壁面に固定掲示した場合の固定状態を示す。
【図６】本発明の額装フレームを磁石にてロッカー、冷蔵庫等の強磁性体の金属に固定掲示した場合の固定状態を示す。
【図７】本発明の額装フレームを粘着シートにてガラス、鏡、強磁性体以外の金属に固定掲示した場合の固定状態を示す。
【符号の説明】
【００１８】Ａ  透明プラスチックシート
Ｂ  作品取付用台紙
Ｃ  作品（写真・絵画・色紙・イラスト・案内文・賞状等）
（ａ）  額装フレーム表側斜視図
（ｂ）  額装フレーム裏側斜視図
（ｃ）  イ―イ´断面拡大図
ａ  透明部（（表、裏とも印刷なし）
ｂ  折り返し部
ｃ  縁取り印刷部
ｄ  画鋲取り付け穴
ｅ  画鋲取り付け穴用切込み
ｆ  折り返し線
【図１】
2015223499.tif 000003
【図２】
2015223499.tif 000004
【図３】
2015223499.tif 000005
【図４】
2015223499.tif 000006
【図５】
2015223499.tif 000007
【図６】
2015223499.tif 000008
【図７】
2015223499.tif 000009